(57)【要約】【課題】  従来の収容且つ供給装置を改善して、供給用または、供給部を拭くための多孔構造体を利用して、物質に含まれる（単数または複数の）保存料の量をできるだけ減らすこと。【解決手段】  化粧品またはケア製品のような物質を収容且つ供給する収容且つ供給装置（１）において、装置がシール手段で閉じることが可能で、物質を収容することに適した容器と、物質を供給するかまたは、供給部を拭く多孔構造体（１４）とを備える。装置が、多孔構造体に取り入れられる、少なくと一つの滅菌剤を含む。【選択図】図１
2005119750.tif 000002
【特許請求の範囲】
【請求項１】
物質を収容することに適した容器と、シール手段で容器を閉じる閉キャップと、物質を供給するため発泡体から成る多孔構造体（１４；２６；３５；５２；６３；７２）とを備え、化粧品を収容且つ供給する収容且つ供給装置（１；２０；３０；５０；６０；７０）において、
多孔構造体の製造プロセス中に、少なくと一つの滅菌剤が、多孔構造体に取り入れられること、閉キャップを配置して多孔構造体が乾き切るのを防ぐことを特徴とする装置。
【請求項２】
多孔構造体が乾いた時、滅菌剤が固化または凝集状態になることを特徴とする請求項１に記載の装置。
【請求項３】
使用中に、多孔構造体が、その表面上のみに物質を浸み込ませるように、配置されることを特徴とする請求項１または２に記載の装置。
【請求項４】
多孔構造体が、親水性または親油性であり、親水性または親油性に対応する一つ以上の滅菌剤を含むことを特徴とする請求項１〜３のいずれか一項に記載の装置。
【請求項５】
使用される滅菌剤が、殺菌剤及び（または）殺菌剤及び（または）抗菌剤であることを特徴とする請求項１〜４のいずれか一項に記載の装置。
【請求項６】
一つ以上の水溶性滅菌剤が使用されることを特徴とする請求項１〜５のいずれか一項に記載の装置。
【請求項７】
一つ以上の油溶性滅菌剤が使用されることを特徴とする請求項１〜５のいずれか一項に記載の装置。
【請求項８】
多孔構造体が、金属塩を含むことを特徴とする請求項１〜７のいずれか一項に記載の装置。
【請求項９】
多孔構造体が、以下のリストにおいて選択された材料、すなわちポリウレタン、ポリエステル、ポリエーテルの一つから作られた発泡体であることを特徴とする請求項１〜８のいずれか一項に記載の装置。
【請求項１０】
多孔構造体は、少なくとも10％が連続気泡を有することを特徴とする請求項１〜９のいずれか一項に記載の装置。
【請求項１１】
物質が水を0.5％〜95％含むことを特徴とする請求項１〜１０のいずれか一項に記載の装置。
【請求項１２】
物質が、肌または髪のためのメイクアップ、トリートメント、あるいはケア製品であることを特徴とする請求項１〜１１に記載の装置。
【請求項１３】
化粧品またはケア製品の分野に使用される多孔構造体を保護する方法であり、多孔構造体の製造中に少なくとも一つの滅菌剤を取り入れること及び、多孔構造体がシールまたは、実質的にシールされた、収容且つ供給装置において取り囲まれるので、二つの使用の間に、多孔構造体が確実に乾き切らないようにすること、から成るステップを含むことを特徴とする方法。
【請求項１４】
滅菌剤を製造する製造する工程の最後と、前記構造体が乾いている間、滅菌剤が固体状態または凝集状態になることを特徴とする請求項１３に記載の方法。
【請求項１５】
化粧品またはケア製品を供給するため使用される連続気泡発泡構造体を製造する方法であり、その方法は、多孔構造体を製造する工程の間に、部分的に水溶性である少なくとも一つの滅菌剤が、その中に取り入れられて、多孔構造体が乾いた時、前記滅菌剤が固体または凝集状態に戻ることを特徴とする方法。
【発明の詳細な説明】
【技術分野】
【０００１】
本発明は、化粧品またはケア製品のような物に関する収容且つ供給装置に関するものであり、そのような装置は、物質を収容することに適した容器と、シール手段で容器を閉じる閉キャップと、物質を供給するため発泡体から成る多孔構造体とを備え、多孔構造体の製造プロセス中に、少なくと一つの滅菌剤が、多孔構造体に取り入れられ、閉キャップを配置して多孔構造体が乾き切るのを防ぎ、物質を供給するかまたは供給部を拭くため、連続気泡（open cell）から成る発泡体のような多孔構造体を具備する。
【背景技術】
【０００２】
それらには、特に物質が敏感な領域、例えば顔に対するケア製品であれば、物質に保存料を含むことを避ける必要がある。
【発明の開示】
【発明が解決しようとする課題】
【０００３】
本発明は、従来の収容且つ供給装置を改善して、供給用または、供給部を拭くための多孔構造体を利用して、物質に含まれる（単数または複数の）保存料の量をできるだけ減らすことを目的としている。
【課題を解決するための手段】
【０００４】
本発明はこのことを、収容且つ供給装置が、多孔構造体に入る少なくとも一つの滅菌剤（biocidal agent）を含むことによって、達成する。
【０００５】
有利には、多孔構造体が乾いている時、滅菌剤は固体または凝集状態にある。
【０００６】
本発明によって、多孔構造体がシール手段で容器を閉じることよって、乾き切ることを防止し、その機器は確実に、滅菌剤を活性化できる残留した水気を維持する。
【０００７】
言い換えると、本発明において、滅菌剤は、多孔構造体内に放出されて、それが劣化するのを防止する。
【０００８】
更に殆どの場合で、物質が供給されるかまたは、供給部が拭かれる間、通常は多孔構造体が、その表面のみに応力を受け、結果的に多孔構造体に存在する滅菌剤が、その中に残ったままになって、ユーザーに供給される物質には、少量だけが認められる傾向があり、そのことは、物質が敏感な領域に関するものである時に、有利である。
【０００９】
更に、多孔構造体が乾き切るのを防止することにより、乾燥状態と飽和湿状態とが交互に生じることを、避けることができる。
【００１０】
交互にその様なこと発生すると、度々カビと別の微生物の発生をうながす主要因となる。
【００１１】
従って、多孔構造体がその発明において、乾き切らないので、滅菌剤が相対的に少量用いられ得る。
【００１２】
好ましい実施例において、多孔構造体は、その表面上のみの物質で浸み込ませるように、配置される。
【００１３】
このことが、各使用で多孔構造体を洗い流して物質を回避することを可能にし、それによって、滅菌剤が溶剤に変化する度合いを減らす。
【００１４】
好ましい実施例において、多孔構造体が親水性であるかまたは、一つ以上の親水性滅菌剤を含む。
【００１５】
多孔構造体が親水性であることは、物質が水性である時、その物質によって完全に湿らせることを、それ自体に関して、より簡単にできる。
【００１６】
他に、多孔構造体が親水性で且つ、一つ以上の親油性滅菌剤を含む。
【００１７】
（単数または複数の）滅菌剤として、一つ以上の殺菌性及び（または）静菌性及び（または）抗菌性剤を使用することができる。
【００１８】
また金属塩（metallic salts）を使用することもできる。
【００１９】
多孔構造体は、ポリウレタン、ポリエステル、ポリエーテル、天然ゴム（NBR）、または人工ゴム（SBR）、ブチル、シリコン、二トリルゴム、またはEPDM（ジエンとエチレンとプロピレンの共重合体）と、好ましくは連続気泡を少なくとも10％有する。
【００２０】
多孔構造体は、複数の異なる種類の層、例えば複数の型の発泡体を具備した、複合構造体であり得る。
【００２１】
使用される化粧品またはケア製品は、例えば0.5％から95％の水とゲル、または乳濁液、特に水中の油或いは油中の水の乳濁液から成り得る。
【００２２】
本発明の収容且つ供給装置は、肌あるいは髪のメイクアップ、トリートメントまたは、ケア製品に使用することができる。
【００２３】
また本発明は、化粧品またはケア製品の分野で使用される多孔構造体を、保存する方法を備えており、その方法は多孔構造体を製造する間、少なくとも一つの滅菌剤を取り入れること、多孔構造体が二度の使用の間、シール又は実質的に密封される収容且つ供給装置に、封入されるので、確実に乾き切らないようにすることのステップを含むこと特徴とする。
【００２４】
好ましくは、その方法で滅菌剤が、多孔構造体を製造する工程の最後と、前記構造体が乾いている間、固体状態または凝集状態になる。
【００２５】
従って、滅菌剤は、例えば多孔構造体内で、結晶形状で存在する。これらの結晶体は、劣化のリスクに対して多孔構造体を保護するように作用し、それらは、多孔構造体内でちょうど段々に溶解する。
【００２６】
また本発明は、化粧品またはケア製品を供給するために使用される、連続気泡多孔構造体を製造する方法を提供し、その方法は、多孔構造体を製造する工程の間に、少なくとも部分的に水溶性（hydrosoluble）である少なくとも一つの滅菌剤が、そこに取り入れられ、多孔構造体が乾いている時、前記作用因は固体または凝集状態に戻る。
【発明を実施するための最良の形態】
【００２７】
本発明の別の特徴及び利点は、本発明による制限のない実施例の以下の詳細な説明を読み、添付図面を考察することで明らかになるであろう。
【実施例】
【００２８】
図１は、本体２から成る収容且つ供給装置１を示しており、その上に“エアレス”ポンプ１が装着されている。ポンプ３は、本体２に収納された可撓性バッグ４に収容される、水性物質Ｐ、例えば化粧品またはケア製品を汲み出すために配置されている。
【００２９】
スライドキャップ６は、本体２に取付けられている。その頂部に、キャップ６が外側にネジを切ったネック１０と、そのネックで実質的に半球形の上方開放ハウジング９を有している。
【００３０】
また、収容且つ供給装置１が、ネジ切りネック１０にネジ入れるために配置される、組立スカート１２を備えた閉キャップ１１を具備している。
【００３１】
連続気泡を有する天然スポンジゴム（NRB）から成る供給部１４は、閉キャップ１１の内側で固定され、そこから下方へ突出して、肌に当てられる。
【００３２】
閉キャップ１１は、ハンドルとして作用する。
【００３３】
キャップ６は、ブッシング９の底部を貫通したオリフィスを有し、そのオリフィスは肩部７を具備しており、それに対しポンプ３のロッド８が、当接する。
【００３４】
ネジ切りネック１０及び組立スカート１２は、閉キャップ１１が配置されると、シール手段とし共働するように配置され、それによって供給部１４が乾き切ることを防止している。
【００３５】
滅菌剤が、供給部１４に取り入れられる。
【００３６】
滅菌剤は、供給部１４が乾く間、特別な形になる。
【００３７】
記載した一例において、使用される滅菌剤も、少なくとも部分的にヒドロゾルである。
【００３８】
通常、本発明の場合、滅菌剤として以下のようなのどれも使用できる。それは、サルチル酸；硫酸ナトリウム；ホウ酸；ピロ亜硫酸メタビナトリウム；安息香酸；安息香酸ナトリウム；ｐ−ヒドロキシ安息香酸プロピル、ｐ−ヒドロキシ安息香酸メチル；メチル ｐ−ベンゾエート ナトリウム；ヒドロキシ−ｂ−キノリンサルフェート；トリ−メチルアンモニウムミリスチル ブロマイド；ｏ−フェニルフェナート ナトリウム（sodium o-phenyl phenate）；ステアリルジメチルベンジルアンモニウムクロライド；ソルビン酸；メチルｐ−ヒドロキシベンゾアートと、ジ−カリウムエデターテ（di-potassium edetate）と、へクスアミジン−イソエチオナート（hexamidine di-isoethionate）との混合物（58/30/12）；クロルヘキシジン ハイドロクロライド；プロピル、メチル、ブチル及び、エチルｐ−ヘドロキシベンゾエートの混合物（7/57/22/14）；水和デヒドロ酢酸ナトリウム；ソルビン酸カリウム；2,4,4´−トリクロロ−2´−ヒドロキシジフェニルエーテル；クロロアセトアミド；1,6−ジ（4−アミジノフェノキシ）ヘキサンジイソエチオナート；メチル、エチル及び、プロピル ｐ−ヒドロキシベンゾアートの混合物（74/17/9）；（3−クロロ−アリル−1−3,5,7−トリアゾ−1−アゾニウム）アダマンテート クロライド；ｐ−ヒドロキシベンゾエート メチル、プロピル、2−ブローモ−2−ニトロ−1、3−プロパンジオールと、へクサアミジン ジイソエチオネートとの混合物（76/2/3/17）；ジスルフィド ピリチオン（pyrithion）と硫酸マグネシウムの混合物；イミダゾールイジニル尿素（urea imidazolidinyl）；ブチル ｐ−ヒドロキシベンゾエート；ｐ−ヒドロキシベンゾエート エチル；2−ブローモ−2−ニトロ−1、3−プロパンジオール；水銀エチルチオサリチル酸塩ナトリウム；アルキル、ジメチル、ベンジル及びアンモニウム塩化物の混合物；デヒドロ酢酸と、2,4,4´−トリクロロ−2´−ヒドロキシ−ジフェニルエーテルと、プロピル ｐ−ヒドロキシベンゾエートとの混合物（34/33/33）；メチル及びプロピル ｐ−ヒドロキシベンゾエートと、へクサミジン ジ イソエチオネートとの混合物（80/3/17）；（2−ヘプチル−1−メチル−2−チアゾリルイデネ（thiazolylidene））−2,2−メチレン3−ヘプチル−2−メチルチアゾリニウムヨー化物；1−ヒドロキシ、4−メチル−6−トリメチルペンチル−2−ピリドーン（pyridone）；モノエタノールアミン塩；デヒドロ酢酸；イソ−プロピルメタクレゾール；2,4,6−サイクロヘプタトリアン（cycloheptatrien）−1−オン−2−ヒドロキシ（1−メチル−4−エチル）、Ｎ−（ヒロキシ（hyroxy）−メチル）Ｎ−（1,3−ジ−ヒドロキシ−メチル−ジ−2−オクソ−4−イミダゾーリジニル（imidazolidinyl））Ｎ−（ヒドロキシ−メチル尿素）；クロフェネシン（chlorphenesine）と、へクサミジン ジ−イソエチオネートと、パラヒドロキシベンゾネート メチル、ブチル、プロピルとの混合物（75/15/7、5/1/1.5）；パラ−クロロ−メタ−キシレノール；ｐ−ヒドロキシベンゾエート ブチルと、2,4,4´−トリクロロ−2´ヒドロキシディフェニルエーテルとの混合物（50/50）；ジメチル ジメチル ヒダントインと、3−ヨード−2−プロピニル カルバミン酸塩；ホウ酸と、へクサミジン ジ−イソイチオネートと、ｐ−ヒドロキシベンゾナート メチルと、ブロノポル（bronopol）との��合物（73.1/8.5/15/3.4）；（5−ブローモ−2−ピリジル（pyridyl）アミノ）2−ビニル）1−ｐ−エチル 2−ピコリニウム−ヨー化物；イミダゾーリジニル尿素（urea imidazolidinyl）と、へクサミジン ジ−イソエチオナートとの混合物（85.715/14.285）；ｐ−ヒドロキシベンゾエート メチルと、へクサミジン ジ−イソエチオネートとの混合物（80/20）；ジ−アゾリジニル尿素（urea di-azolidinyl）と、p−ヒドロキシベンゾエート メチル及びプロピルと、へクサミジン ジ−イソエチオネートとの混合物（50/28/12/10）；クロフェネシン（chlorphenesine）;クロフェネシンと、ｐ−フィドロキシベンゾエート メチル及びプロピルとの混合物（50/41.66/8.34）；クロフェネシンと、ｐ−ヒドロキシベンゾエート メチルとの混合物（60/40）；べヘニル トリメチル アンモニウム クロライド ； パラ−ヒドロキシベンゾエート ナトリウム エチルである。
【００３９】
このリストには限定されない。
【００４０】
上記リストから選択された一つ以上の滅菌剤に加えて、また発泡体に、例えば銀または銅あるいは酸化鉄の金属塩類を含めることができる。
【００４１】
図２は、本体２１と、蝶番蓋２２と、摺動底部２９を有する箱から成る、収容且つ供給装置２０を示している。
【００４２】
本体２１は、物質Ｐの分配部を具備したキャップ２３を受容するハウジングを有している。
【００４３】
キャップ２３は、頂部にスクリーン２５を、下部に変形可能な壁部２７を備えている。
【００４４】
変形可能な壁部２７に固定されているピストン２４は、キャップ２３において摺動できる。
【００４５】
摺動底部２９を押すことによって、ユーザーはピストン２４を急速に上方へあげ、それによってスクリーン２５を介して、物質を放出する。
【００４６】
スポンジにより構成された供給部２６は、スクリーンの向こう側で蓋に受容されている。
【００４７】
収容且つ供給装置２０は、確実に供給部２６をシール手段で固定するように、配置されている。
【００４８】
結果的に、供給部２６はその外縁で、箱が蓋２２と本体２１上に取付けられたマスクとの間に閉じられると、挟まれて、シールガスケットとして作用する環状リム２８に、固定される。
【００４９】
従って供給部２６は、蓋２２が閉められている間、乾かないようにしている。
【００５０】
供給部２６は、滅菌剤、例えば上記リストから選ばれた滅菌剤を取り入れる。
【００５１】
図３は供給収容装置３０を示しており、それは外ネジを有するネック３２を備えた容器３１を有している。
【００５２】
ネック３２は、底部において外側に有孔壁３３を有している。
【００５３】
供給収容装置３０は、ネック３２を閉じるキャップも構成するハンドル３６によって支持された、供給部３５を具備している。
【００５４】
供給部３５が、部分的にキャップ３６の組立スカート３７に連結され、且つ固定されている。
【００５５】
キャップ２６は、シールガスケット３８を有しており、それはキャップ３６がネック３２にネジ込まれる時、ネック３２にシール手段により取付けられるように形成されている。
【００５６】
供給部３５は、連続気泡ポリエチレン発泡体によって構成されており、供給部は、発泡体が乾いている間、粒状あるいは結晶形状になる、上記リストから選ばれた滅菌剤を取りいれる。
【００５７】
図４は、供給及び収容装置５０外ネジ５１を有するネックを具備した可撓管５４を備え、ネックが内部で、連続気泡ポリエーテル発泡体のブロックによって構成された供給部５２に、取付けられる。
【００５８】
供給部５２は、上記リストから選定された滅菌剤を取り入れ、発泡体が乾いている間、粒状または結晶形状になる。
【００５９】
使用しないとき、管５４は閉キャップ５３によるシール手段で閉じられる。
【００６０】
図５は、収容且つ供給装置６０を示しており、それは外ネジを有するネック６２を具備した容器６１を備えている。
【００６１】
軸線方向に分割された連続発泡ポリウレタン発泡体のブロックによって構成されるワイパー部材６３は、ネック６２の下部で容器６１の内側に固定されている。
【００６２】
容器６１は、ネック６２にねじ込まれた閉キャップ６５によって、閉じられる。
【００６３】
閉キャップ６５は、ネック６２にシール手段で取付けるのに適切な、中心部分６６を具備している。
【００６４】
中心部分６６は、綿を詰めた供給部６８を端部に具備した柄６４により、下方へ延長している。
【００６５】
ワイパー部材６３は、柄６４と供給部６８が容器６１から引き出される間に、それらを拭くために作用する。
【００６６】
それは、発泡体が乾いている間、粒状または結晶形状になる上記から選ばれた滅菌剤を含む。
【００６７】
図６は、収容且つ供給装置７０を示しており、それは本発明による第六の実施例を構成している。
【００６８】
この装置は、可撓性材料で囲まれた管７１を備え、それは例えば化粧ミルクのようなメイクアップファンデーションを入れるためのものである。
【００６９】
管７１は、弾力的に変形可能で、上記リストから選ばれた滅菌剤を取り入れる、供給部材７２を備えている。
【００７０】
オリフィス７３が供給部材７２を貫通しており、それによって管に入った物質を、供給部の表面７６に到達させることが簡単にでき、物質をユーザーに供給することができる。
【００７１】
装置７０は、透明ブラスチック材料から作られ且つ、管に入るものと異なる物質の分配部７５を具備すると言う特徴を有した、閉キャップ７４を有する。
【００７２】
一例として説明するが、この物質は、管に入っている物質と接触させて、粉にするのに適した着色物質のケーキによって、構成される。
【００７３】
キャップが管に装着される時、供給部の表面７６が物質の分配部に対して当接する。
【００７４】
キャップ７４は、それが適所にある時、シール手段で管を閉じるのに適している。
【００７５】
上記に記載した全ての実施例において、供給部またはワイパー部材は、使用しない時、シールあるいは実質的にシール閉鎖により、保護されて、供給部またはワイパー部材が完全に乾き切らないで、含んでいる（複数の）滅菌剤を活性化させるため作用する残留水分を維持する。
【００７６】
供給部またはワイパー部材が、従って微生物によるいかなる劣化からも、保護される。
【００７７】
供給部またはワイパー部材を構成する多孔材料が、この方法で保護されるので、物質における保存容量を減らすことができる。なぜなら、物質が発泡材料を保護するために必要としないで、その中に含まれた（複数の）滅菌剤を活性化させるためだけに必要だからである。
【００７８】
好ましくは滅菌剤が、製造中すなわちプラスチック材料を充填する段階で、発泡材料に取り入れられる。
【００７９】
本発明の範囲内で、滅菌材料を含んだ気泡材料を、物質に浸すことにより物質の分配部として使用することができる。
【００８０】
記載された全ての実施例において、気泡材料は綿を詰めるか、他に多数または少数の連続気泡を具備し得る。
【００８１】
気泡材料は親水性トリートメントが、ハイドロアブソーバー（hydroabsorber）または繊維、例えばポリアクリラート、コロイドシリカ、アルギン酸塩、グリセリン、綿繊維、または澱粉を取り入れることによって作られた後、または作られる間、親水性トリートメントを受容することができる。このリストは普通、限定されない。
【図面の簡単な説明】
【００８２】
【図１】収容且つ供給装置の第一実施例の概略的な軸線方向断面図
【図２】収容且つ供給装置の第二実施例の概略的な軸線方向断面図
【図３】収容且つ供給装置の第三実施例の概略的な軸線方向断面図
【図４】収容且つ供給装置の第四実施例の概略的な軸線方向断面図
【図５】収容且つ供給装置の第五実施例の概略的な軸線方向断面図
【図６】本発明による第六実施例を構成した収容且つ供給装置の斜視図
【符号の説明】
【００８３】
１  収容且つ供給装置
２  本体
３  ポンプ
４  可撓性バッグ
６  スライドキャップ
７  肩部
８  ロッド
９  ハウジング
１０ネック
１１閉キャップ
１２スカート
１４供給部
２０収容且つ供給装置
２１本体
２２蓋
２３キャップ
２４ピストン
２５スクリーン
２６供給部
２７壁部
２６環状リム
２９摺動底部
３０収容且つ供給装置
３１容器
３２ネック
３５供給部
３６ハンドル／キャップ
３７組立スカート
５０収容且つ供給装置
５１外ネジ
５２供給部
５３キャップ
５４可撓性管
６０収容且つ供給装置
６１容器
６２ネック
６３ワイパー部材
６４柄
６５閉キャップ
６６中心部分
６８供給部
７０収容且つ供給装置
７１管
７２供給部材
７４閉キャップ
７５分配部
７６供給表面
【図１】
2005119750.tif 000003
【図２】
2005119750.tif 000004
【図３】
2005119750.tif 000005
【図４】
2005119750.tif 000006
【図５】
2005119750.tif 000007
【図６】
2005119750.tif 000008